(57)【要約】【課題】水周りにおいて長時間使用されても、吸水能力が高いため乾燥した表面状態を維持できて常に快適な感触が得られ、携帯マットを提供する。【解決手段】パーミキュライトとケイ酸カルシウムと繊維質材とを含む調湿材を用い、表面に凹凸状、又は溝状構造を形成された高吸水性平板を具え、前記高吸水性平板は、厚さ４〜７ｍｍで、縦２００〜３００ｍｍ、横２００〜３００ｍｍの略正方形、又は略長方形、の形状であって、各形状の角を１０〜２０ｍｍの半径のＲ形状にして、重量として１ｋｇ以下にして、布、樹脂、紙製の収納容器に収められている携帯吸水マットである。【選択図】図１
0003219446.tif 000002
【実用新案登録請求の範囲】
【請求項１】
パーミキュライトとケイ酸カルシウムと繊維質材とを含む調湿材を用い、表面に凹凸状、又は溝状構造を形成された高吸水性平板を具え、前記高吸水性平板は、厚さ４〜７ｍｍで、縦２００〜３００ｍｍ、横２００〜３００ｍｍの略正方形、又は略長方形、の形状であって、各形状の角を１０〜２０ｍｍの半径のＲ形状にして、重量として１ｋｇ以下にして、布製、又は樹脂製、又は紙製の収納容器に収められていることを特徴とする携帯吸水マット。
【請求項２】
表面に略台形、又は半円形状の凸部で、前記凸部をその高さ１〜２ｍｍ、配設ピッチ幅１０〜５０ｍｍの凹凸波形状、又は平板表面内にスクエア、ウエイブ、ダイヤ、サークル、ライン入りから選ばれた幅２〜５ｍｍの線状で描かれたデザイン性掘り込み細溝を有している無機性高吸水性平板は、前記収納容器として縦２５０〜３５０ｍｍ、横２５０〜３５０ｍｍ、厚さ２０〜３０ｍｍの手提げ付きの袋体、又はケースに収納されて、前記袋体、又はケースの表面にデザイン的模様を設けていることを特徴とする請求項１に記載の携帯吸水マット。
【考案の詳細な説明】
【技術分野】
【０００１】本考案は、水を扱う水周りの場所、或いはプールなどに載置して使用される吸水性をもたらされる携帯吸水マットに関する。
【背景技術】
【０００２】プール、及び浴室の脱衣室の出口付近、洗面所、トイレ、台所などの水回り床面は、水の飛散により濡れ易くそして湿気を帯びるため、感触を悪くするとともに、食器、食品を扱う場所で多湿な梅雨期などではカビ、雑菌の発生が誘発され衛生状態の低下を招く恐れがある。吸水性、吸湿性が高い無機質材料が期待される。【０００３】高い強度と優れた透湿性を兼ね備え、吸水時厚さ膨張の少ない板状体又は成形体を提供するために、繊維長が２〜３０ｍｍであるヤシ繊維単独又はヤシ繊維と他の有機及び／又は無機繊維との混合繊維に硬化性樹脂を付着させ、圧縮成形することにより得られることが記載されている（特許文献１参照）。【０００４】風呂場などの水周りにおいて長時間使用されても、吸水能力が高いため乾燥した表面状態を維持できて常に快適な感触が得られ、しかも良好な衛生状態を維持しうる足拭きマットを提供するために、少なくとも珪藻土を含む調湿材を用い、かつ平面矩形状に形成された高吸水性タイルと、該高吸水性タイルを複数枚並べて支持しうる支持盤とを具え、前記高吸水性タイルは、縦横の一辺長さが１５０〜４５０ｍｍ、厚さが５〜２０ｍｍであり、前記高吸水性タイルは、珪藻土を６０〜８０％重量含み、また前記高吸水性タイルは、表面に半球状の凸部を有し、前記凸部はその高さＨが５〜１５ｍｍ、配設ピッチＰが１０〜１００ｍｍである（特許文献２参照）。【０００５】セメントと、珪酸含有物と、木質補強材からなる層を積層してなる無機質板であって、比重が１．５〜２．０であり、８０℃で１０日間の放湿寸法変化率が０．１％以下であり、７日間吸水寸法変化率が０．１％以下であり、二酸化炭素濃度５％環境下での７日間寸法変化率が０．１％以下であり、曲げ強度が２０Ｎ／ｍｍ２以上である無機質板が提案されている（特許文献３参照）。【０００６】鉱物系材料の一つとしてバーミキュライトがある。このバーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。一方、バ−ミキュライトは吸湿能力があまり高くないため、調湿材としてはまったく顧みられていない（特許文献４参照）。【０００７】石膏、ケイ酸カルシウム、セメント、スラグ石膏もしくは塩基性炭酸マグネシウムの一種以上から選択される親水性基材を含む建材組成物を成形して得られる建材を表面焼付け処理してなる化粧建材の提案がある（特許文献５参照）。
しかし無機材料であって、吸水性、吸湿性が高く、携帯マットは存在していない。
【先行技術文献】
【特許文献】
【０００８】
【特許文献１】特開平１０−２９６７０７号公報
【特許文献２】特開２００６−３４７９７号公報
【特許文献３】特開２０１２−１５３５７４号公報
【特許文献４】特開２００２−２８５０３７号公報
【特許文献５】特開２００３−１４６７７５号公報
【考案の概要】
【考案が解決しようとする課題】
【０００９】前記のように、種々の足拭きマットの提案があるが、吸湿性が高く、即効性が高いものはなく、パイル生地を用いた足拭きマットでは、その吸水能力に一定の限界があるため、梅雨期等高湿度の環境下で連続使用すると、吸水の飽和状態に達してその表面が湿潤となり、感触を低下させるとともにカビ発生など衛生状態の低下を招くという問題がある。【００１０】本発明は、無機質のバーミキュライトとセメント、ケイ酸カルシウムを含む調湿材を用い、かつ平面矩形状に形成された高吸水性板を用いることを基本とし、風呂場などの水周りにおいて長時間使用されても、吸水能力が高いため乾燥した表面状態を維持できて常に快適な感触が得られ、しかも良好な衛生状態を維持しうる足拭きマットの提供を課題としている。【００１１】天然資源としてのケイ酸カルシウム、バーミキュライトのさらなる有効利用を図り、調湿および／または消臭、さらには美観の要請をも満たし得る、特に吸放湿の量および速度においてバランスに優れた建材を見出すべく、種々検討を行った。【００１２】鉱物系材料の一つとしてケイ酸カルシウム、バーミキュライトがある。バーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。
【課題を解決するための手段】
【００１３】パーミキュライトとケイ酸カルシウムと繊維質材とを含む調湿材を用い、表面に凹凸状、又は溝状構造を形成された高吸水性平板を具え、前記高吸水性平板は、厚さ４〜７ｍｍで、縦２００〜３００ｍｍ、横２００〜３００ｍｍの略正方形、又は略長方形、の形状であって、各形状の角を１０〜２０ｍｍの半径のＲ形状にして、重量として１ｋｇ以下にして、布製、又は樹脂製、又は紙製の収納容器に収められていることを特徴とする携帯吸水マット。【００１４】表面に略台形、又は半円形状の凸部で、前記凸部をその高さ１〜２ｍｍ、配設ピッチ幅１０〜５０ｍｍの凹凸波形状、又は平板表面内にスクエア、ウエイブ、ダイヤ、サークル、ライン入りから選ばれた幅２〜５ｍｍの線状で描かれたデザイン性掘り込み細溝を有している無機性高吸水性平板は、前記収納容器として縦２５０〜３５０ｍｍ、横２５０〜３５０ｍｍ、厚さ２０〜３０ｍｍの手提げ付きの袋体、又はケースに収納されて、前記袋体、又はケースの表面にデザイン的模様を設けていることを特徴とする請求項１に記載の携帯吸水マット。【００１５】高吸水性平板の主成分として、吸湿性を高めた無機性であるバーミキュライトとケイ酸カルシウムからなる基材に配合されており、その配合量が全組成物（固形分）の５〜７０質量％であって、その他石灰質材料と補強繊維を含有している。高吸水性平板の主成分であるバーミキュライトは、活性化処理されたバーミキュライトであり、活性化処理が、水蒸気処理で、水蒸気が１０５〜２００℃の飽和水蒸気であり、前記のバーミキュライトを、その配合量が全組成物（固形分）の３０〜６０質量％になるようにセメント、ケイ酸カルシウム、スラグ石膏、パルプ補強繊維、から選択される基材に配合した組成物である。【００１６】バーミキュライトとセメント成分、ケイ酸カルシウム、スラグ石膏の一種以上から選択される基材を用いた調湿材を含む高吸水性平板を具えるため、表面の乾燥状態を維持できる。少なくともバーミキュライトをセメント、ケイ酸カルシウム、スラグ石膏の一種以上から選択される基材を用いた調湿材を含む高吸水性タイルを具えるため、表面の乾燥状態を維持できる。【００１７】バーミキュライトをセメント、ケイ酸カルシウム、スラグ石膏の一種以上から選択される基材とは、内外に通じる０．１〜０．２ミクロン程度の無数の細孔を有し、木炭に比べても数千倍になる微細で超多孔質な構造を持つため、１７００℃程度の高耐火性に加え、吸湿性（吸水性）、吸着性、脱臭性、保温性、断熱性などの性能を持ち、さらには一度吸湿した水分を再び放出する「呼吸性（調湿性・吸放湿性）」という優れた特性を備える。
【考案の効果】
【００１８】バーミキュライトを主成分としてセメント、ケイ酸カルシウム、スラグ石膏の一種以上から選択される基材は、プール、風呂場、また水回りの容器の使用時などにおける水分を充分に吸水でき、その表面が常に乾いた状態を維持して使用者の感触を優れたものとすることができる。また基材は吸放湿性を備えるため、好天時に天日干しを行い、或いは風に当てるなどにより内部の水分を容易に放出させることにより半永久的に使用でき、しかもカビ、雑菌などの発生の恐れなく衛生状態を継続しうる。【００１９】また前記高吸水性マットは、縦横の一辺長さが２００〜３００ｍｍの範囲に比較的小さく形成され、また厚さが４〜６ｍｍの範囲であるため、必要充分な強度を有して割れ難く、充分な吸水量を確保できる。しかも重量が１ｋｇ以下であるために、携帯が可能であり、持ち歩くことができる。また、高吸水性平板は、バーミキュライトを主成分として、高い吸水能力を有して常に乾燥状態を維持でき、配設ピッチが台形、半球状の凸部を有するため、足裏のツボを刺激してマッサージ効果が得られるとともに、足が濡れていても、滑り止めの効果が得られ使用者に対して安全性が向上する。
【図面の簡単な説明】
【００２０】
【図１】携帯吸水マットの全体形状での斜視図である。Ａ：平行線溝付き  Ｂ：碁盤目溝付き
【図２】携帯吸水マットの平面図と断面図である。Ａ：平行線溝付きマットの平面  Ｃ：碁盤目溝付きマットの平面  Ｂ：平行線溝付きマットの断面  Ｄ：碁盤目溝付きマットの断面
【図３】携帯吸水マットの表面の模様の図である。Ａ：平行線模様  Ｂ：碁盤目模様  Ｃ：サークル模様
【図４】携帯吸水マットの収納容器の状態図である。Ａ：袋体とマット状態  Ｂ：手提げ状態図
【考案を実施するための形態】
【００２１】以下、本考案の実施の一形態を、図示例とともに説明する。図１に示すように、携帯マットは、パーミキュライトとケイ酸カルシウムと繊維質材とを含む調湿材を含む高吸水性平板と、この無機性高吸水性平板を具える。
【実施例１】
【００２２】図１Ａに示すようにパーミキュライトとケイ酸カルシウムと繊維質材とを含む調湿材を用い、表面に凹凸状、又は溝状構造を形成された高吸水性平板を具え、前記高吸水性平板は、厚さ６ｍｍで、縦２１０ｍｍ、横２８０ｍｍの略長方形であって、各形状の角を１０ｍｍの半径のＲ形状にして、重量として５５４ｇにして、図４に示すように樹脂製の収納容器に収めた。【００２３】図４に示すように表面に略台形の凸部で、前記凸部をその高さ５ｍｍ、配設ピッチ幅３０ｍｍの平板表面内にライン入りで、幅４ｍｍの線状で描かれたデザイン性掘り込み細溝を有している無機性高吸水性平板は、前記収納容器として縦２５０ｍｍ、横３２０ｍｍ、厚さ２５ｍｍの手提げ付きの袋体に収納された。【００２４】高吸水性平板の主成分として、吸湿性を高めた無機性であるバーミキュライトとケイ酸カルシウムからなる基材に配合されており、その配合量が全組成物（固形分）の５〜７０質量％であって、その他石灰質材料と補強繊維を含有している。高吸水性平板の主成分であるバーミキュライトは、活性化処理されたバーミキュライトであり、活性化処理が、水蒸気処理で処理したものであった。前記のバーミキュライトを、その配合量が全組成物（固形分）の約５０質量％程度になるようにセメント、ケイ酸カルシウム、スラグ石膏、パルプ補強繊維、から選択される基材に配合した組成物であった。
【実施例２】
【００２５】図１Ｂに示すようにパーミキュライトとケイ酸カルシウムと繊維質材とを含む調湿材を用い、表面に凹凸状、又は溝状構造を形成された高吸水性平板を具え、前記高吸水性平板は、厚さ６ｍｍで、縦２２０ｍｍ、横２８０ｍｍの略長方形、の形状であって、各形状の角を１５ｍｍの半径のＲ形状にして、重量として５４５ｇにして、紙製の収納容器に収めた。【００２６】表面に半円形状の凸部で、前記凸部をその高さ３ｍｍ、配設ピッチ幅５０ｍｍの凹凸波形状、又は平板表面内に碁盤目の交差ライン入り、幅３ｍｍの線状で描かれたデザイン性掘り込み細溝を有している無機性高吸水性平板は、前記収納容器として縦２８０ｍｍ、横３５０ｍｍ、厚さ３０ｍｍの手提げ付きの袋体に収納されて、前記袋体の表面にデザイン的模様を設けた。
【実施例３】
【００２７】パーミキュライトとケイ酸カルシウムと繊維質材とを含む調湿材を用い、表面に凹凸状、又は溝状構造を形成された高吸水性平板を具え、前記高吸水性平板は、厚さ６ｍｍで、縦２００ｍｍ、横２００ｍｍの略正方形の形状であって、各形状の角を１０ｍｍの半径のＲ形状にして、重量として５１５ｇにして、布製の収納容器に収められた。【００２８】表面に半円形状の凸部で、前記凸部をその高さ３ｍｍ、配設ピッチ幅５０ｍｍの凹凸波形状、又は平板表面内にスクエア入りから選ばれた幅３ｍｍの線状で描かれたデザイン性掘り込み細溝を有している無機性高吸水性平板は、前記収納容器として縦２６０ｍｍ、横２６０ｍｍ、厚さ３０ｍｍの手提げ付きのケースに収納されて、ケースの表面にデザイン的模様を設けた。
【符号の説明】
【００２９】１  携帯マット
２  高吸水性平板
３  溝部
４  凸部
５  凹部
６  底部
７  絵柄
８  Ｒ曲面
９  袋体
１０  ケース
１１  手提げ
【図１】
0003219446.tif 000003
【図２】
0003219446.tif 000004
【図３】
0003219446.tif 000005
【図４】
0003219446.tif 000006